(57)【要約】【課題】  スピーカネットとスピーカ本体間の密着性が保たれない個所に音声発生装置を設置する場合に、その密着性を保つことができる遊技機を提供すること。【解決手段】  遊技機１の筐体１０の腰部パネル２に設けられた孔２０にスピーカネット４０が臨んでいる音声発生装置４は、スピーカ本体４１と、このスピーカ本体４１の前面の音響ガイド部材４２と、この音響ガイド部材４２の前面のスピーカネット４０と、このスピーカネット４０の前面の保護カバー４３からなる。スピーカネット４０とスピーカ本体４１間に音響ガイド部材４２が介在することで、スピーカ本体４１の正面、背面で発生する空気の振動が互いに干渉し、打ち消しあうことを防ぐことができる。【選択図】        図３
2005034602.tif 000002
【特許請求の範囲】
【請求項１】
遊技状態に応じて効果音を発生する音声発生装置を備えた遊技機において、
前記音声発生装置は、遊技機の筐体の外側に臨むスピーカ保護部材と、前記筐体の内側に配置されたスピーカ本体と、前記スピーカ保護部材と前記スピーカ本体にそれぞれ密着され、かつ、前記スピーカ本体の正面から放音される音を前記スピーカ保護部材方向にガイドする音響ガイド部材を備えたことを特徴とする遊技機。
【請求項２】
前記音響ガイド部材と前記スピーカ保護部材がそれぞれ密着する個所は遊嵌構造になっていることを特徴とする請求項１に記載の遊技機。
【請求項３】
前記音響ガイド部材と前記スピーカ保護部材がそれぞれ密着する個所は、前記音響ガイド部材に形成された側周面の自由端面が、前記スピーカ保護部材に当接する構造になっていることを特徴とする請求項１又は２に記載の遊技機。
【請求項４】
前記スピーカ保護部材は、前記筐体に取付けられたパネル状部材に配置され、前記音響ガイド部材及びスピーカ本体は、前記筐体の内側に配置されていることを特徴とする請求項１乃至３の何れかに記載の遊技機。
【請求項５】
前記パネル状部材は、前記筐体の腰部本体に対して開閉自在に取付けられた腰部パネルであり、前記筐体の内側は前記腰部本体であることを特徴とする請求項４に記載の遊技機。
【請求項６】
前記音響ガイド部材、前記スピーカ保護部材及び前記スピーカ本体の部材間の少なくとも１個所に密閉部材を介挿したことを特徴とする請求項１乃至５の何れかに記載の遊技機。
【発明の詳細な説明】
【技術分野】
【０００１】
本発明は、遊技状態に応じて効果音を発生する音声発生装置を備えた遊技機に関する。
【背景技術】
【０００２】
特許文献１の図２に図示されているスロットマシン等の遊技機においては、遊技者が一枚又は複数枚のメダルをその投入口に投入し、スタートレバーをオンすることで、筐体中央部の左右中の各リールが回転し、遊技が開始される。その後、遊技者が特定の図柄を狙って各リールの停止ボタンを操作し、各リールを停止させ、入賞ライン上に入賞の図柄が揃っている場合には、「当り」となる。
そして、例えば入賞図柄の内、特定の図柄が入賞ライン上に揃ったことを条件に、所定時間に限って遊技者が有利なゲームを行うことができるボーナスゲームでは、入賞毎にメダル受け皿に所定数のメダルが払い出される。
このような遊技において、興趣を高める効果音等の演出はスピーカが担うものであって、スピーカは遊技機において重要な構成要素となっている。
【０００３】
ところが、従来から遊技機の前面側には、比較的大きな口径のスピーカを配置するスペースは無いものと考えられており、特許文献１の遊技機では比較的小さな口径のスピーカが前記メダル受け皿の裏面側に配置され、口径の大きなスピーカは筐体の背面に取付けられていた。
【０００４】
また、上記理由と同一の理由により、筐体の上部に比較的小さな口径のスピーカを配置していた遊技機もあった（例えば、特許文献２参照）。
【０００５】
【特許文献１】特開平９−２２０３１３号公報（図２）
【特許文献２】特開平２００３−１２６３３８号公報（図２）
【発明の開示】
【発明が解決しようとする課題】
【０００６】
遊技者の感覚を揺さぶるような迫力のある効果音、特に良質な低音域の効果音を提供するには、比較的大きな口径のスピーカが筐体の前面側に配置されていることが望ましく、そのため従来のスピーカの取付け位置を見直して、その位置を変更する必要性が生じていた。
その１つの提案として、大口径のスピーカを遊技機の腰部パネルに設置することが挙げられる。この場合、腰部パネルにかかる荷重やスピーカの配線等の問題から、腰部パネルにスピーカネットを、腰部にスピーカ本体を設置することが望ましい。
しかし、このような取付構造において、スピーカネットとスピーカ本体間の密着性が悪いと、スピーカ本体のコーンの表裏で発生する空気の振動が互いに干渉して打ち消しあってしまうことになり、演出のための音声・効果音の迫力が欠けてしまう恐れがある。
【０００７】
そこで、本発明は、遊技機に音声発生装置を設置する場合に、スピーカネットとスピーカ本体間の密着性を保つことができる遊技機を提供すること、特に、スピーカが大口径の音声発生装置を設置する場合に、スピーカネットとスピーカ本体間の密着性を保つことで、迫力ある大出力の低音を出すことができる遊技機を提供することを目的とする。
【課題を解決するための手段】
【０００８】
上記課題を解決するため、遊技状態に応じて効果音を発生する音声発生装置を備えた遊技機において、前記音声発生装置は、遊技機の筐体の外側に臨むスピーカ保護部材と、前記筐体の内側に配置されたスピーカ本体と、前記スピーカ保護部材と前記スピーカ本体にそれぞれ密着され、かつ、前記スピーカ本体の正面から放音される音を前記スピーカ保護部材方向にガイドする音響ガイド部材を備えたことを特徴とする遊技機とした（請求項１記載の発明）。
【０００９】
ここで、スピーカ保護部材は、スピーカ本体のコーン等を保護するスピーカネット、必要に応じてスピーカネットの外側に配置されるカバー部材等をいう。
本発明において、前記スピーカ保護部材と前記スピーカ本体間に音響ガイド部材が介在することで、スピーカ本体の正面、背面で発生する空気の振動が互いに干渉し、打ち消しあうことを防ぐことができる。
【００１０】
上記発明において、前記音響ガイド部材と前記スピーカ保護部材がそれぞれ密着する個所は遊嵌構造になっていることを特徴とする遊技機とした（請求項２に記載の発明）。
ここで遊嵌構造は、ネジ等の固着手段を用いることなく、前記音響ガイド部材と前記スピーカ保護部材が密着する構造である。このような構造により密着性を維持しつつ、前記音響ガイド部材の取付が容易となる。
【００１１】
上記発明において、前記音響ガイド部材と前記スピーカ保護部材がそれぞれ密着する個所は、前記音響ガイド部材に形成された側周面の自由端面が、前記スピーカ保護部材に当接する構造になっていることを特徴とする遊技機とした（請求項３に記載の発明）。
前記音響ガイド部材の側周面の縁に相当する自由端面が前記スピーカ保護部材に当接することで、スピーカ本体の正面から放音される音の進行が、前記音響ガイド部材と前記スピーカ保護部材との密着個所で妨げられ難くなっている。
【００１２】
上記発明において、前記スピーカ保護部材は、前記筐体に取付けられたパネル状部材に配置され、前記音響ガイド部材及びスピーカ本体は、前記筐体の内側に配置されていることを特徴とする遊技機とした（請求項４に記載の発明）。
前記筐体に取付けられたパネル状部材を取外したり取付ける場合に、そのパネル状部材には軽量なスピーカ保護部材のみが取付けられているので、パネル状部材の軽量化を図ることができ、パネル状部材の着脱をスムースに行うことができる。
この場合、前記パネル状部材は、前記筐体の腰部本体に対して開閉自在に取付けられた腰部パネルであり、前記筐体の内側は前記腰部本体であることを特徴とする（請求項５に記載の発明）。
遊技者にインパクトを与えることができる大口径の音声発生装置を取付けることができ、また、この音声発生装置は密閉型のスピーカとなり、良好な低音域の効果音を遊技者に提供できる。
【００１３】
上記発明において、前記音響ガイド部材、前記スピーカ保護部材及び前記スピーカ本体の部材間の少なくとも１箇所に密閉部材を介挿したことを特徴とする遊技機とした（請求項６に記載の発明）。
即ち、前記スピーカ保護部材と前記音響ガイド部材との間、前記音響ガイド部材と前記スピーカ本体との間、又は前記スピーカ保護部材と前記音響ガイド部材と前記スピーカ本体との間に、密閉部材を介挿することで密着性が向上する。
【発明の効果】
【００１４】
本発明に係る遊技機では、前記スピーカ保護部材と前記スピーカ本体間に音響ガイド部材が介在することで、スピーカ本体の正面、背面で発生する空気の振動が互いに干渉し、打ち消しあうことを防ぐことができる。特に、スピーカ本体が大口径の場合に、スピーカ保護部材とスピーカ本体間の密着性が保たれることで、迫力ある低音を出力することができる。
【発明を実施するための最良の形態】
【００１５】
上記発明の実施の形態を図面に基づいて説明する。
図１は実施形態に係る遊技機の正面図、図２は同遊技機の透視図、図３は同遊技機に取付けられた音声発生装置の分解斜視図、図４（Ａ）（Ｂ）は同音声発生装置を構成する音響ガイド部材の正面図及び側面図である。
図５は同遊技機の腰部パネルを開けた状態の透視図、図６は同要部断面である。
なお、これらの各図、後述の各図において、同一の構成については、同一の符号を付して、重複した説明を省略する。
【００１６】
図１及び図２に図示したように、実施形態に係る遊技機１はスロットマシンであって、筐体１０の前面を構成する前面ドア１１の上部に、例えば回転リールによる遊技等が行われる遊技表示部１２、その下方に遊技の開始に先立ち遊技媒体のメダルを投入するメダル投入口１３、回転リールのスタートレバー１４、回転リールのストップボタン１５ａ〜１５ｃ等が配置された操作部１５、その下方にパネル状部材としての腰部パネル２を備えた腰部３、最下部にメダル払出口１６ａから払い出されたメダルを貯留するメダル受け皿１６が配置されており、腰部パネル２に設けられた孔２０に音声発生装置４のスピーカネット４０が設けられている。
【００１７】
音声発生装置４は、図３及び図４に示したように、スピーカ本体４１と、このスピーカ本体４１の前面の音響ガイド部材４２と、この音響ガイド部材４２の前面のスピーカネット４０と、このスピーカネット４０の前面の保護カバー４３からなる。
【００１８】
スピーカ本体４１の口径のサイズは、どのようなサイズでもよいが、比較的大きな口径、例えば１２センチ程度のものを用いれば、良好な低音域の効果音を発生させることができる。
【００１９】
音響ガイド部材４２は、スピーカ本体４１とスピーカネット４０間に介在するスペーサとして機能し、スピーカ本体４１のコーン正面からの音声がスピーカ本体４１とスピーカネット４０間で外部に漏れることを防ぎ、スピーカネット４０の方向に伝達されるようにするものである。
具体的な使用例として、スピーカ本体４１とスピーカネット４０の配置関係において両者間に所定の距離があり、両者を直接的に密着固定できない場合、また、この実施形態のようにスピーカ本体４１が上方に従い後側に傾斜して固定され（後述）、両者の中心軸が一致しない場合等に有用である。
【００２０】
音響ガイド部材４２は、略円盤状であって、上下の平面を開口して形成され、一方の開口端（後開口端４２０）に周面４２０ａが形成され、この周面４２０ａから外側に突出する取付舌４２２が設けられている。
他方の開口端（前開口端４２１）には、リング状の遊嵌部４２１ａが形成され、この遊嵌部４２１ａにはリング状の鍔面４２１ｂと、この鍔面４２１ｂの縁からスピーカネット４０側に突起させて形成されている突起片４２１ｃが設けられている。
後開口端４２０と前開口端４２１間の側周面４２３は、一周端４２３ａが低く他周端４２３ｂが高くなるように形成され、前開口端４２１が傾斜状に形成されている。
これは、スピーカ本体４１が上方に従い後側に傾斜して固定され、一方、スピーカネット４０は、略垂直に固定されていることから、両者の中心軸のズレを解消し、両者を密着させるためである。
【００２１】
スピーカネット４０は、スピーカ保護部材を構成するもので、音響ガイド部材４２の遊嵌部４２１ａを受け入れる受入部４００を備え、その受入部４００には、音響ガイド部材４２の鍔面４２１ｂに密着する円周面４００ａが形成されている（図６参照）。
受入部４００の外側には、外周縁４０１が形成され、腰部パネル２の取付部となっている。
【００２２】
カバー部材４３は、スピーカ保護部材を構成するもので、略ハット状に形成され、その外周縁４３０が、スピーカネット４０の外周縁４０１と共に、腰部パネル２に対する取付部となっている。このカバー部材４３の遊技者側の開口４３１には略Ｘ字状のリブ４３２が形成されている。
【００２３】
腰部パネル２は図２及び図５に図示したように、孔２０，２０と、機種名や機種イメージがデザインされたタイトル部２１と、タイトル部２１の外周を囲み、かつ、その外周から膨出するように形成された略T字状の外周膨出部２２を備えている。
各孔２０，２０は、両サイドが奥方向にラウンド状に形成された領域２００，２００を除き、外周膨出部２２と同様に膨出成形された取付膨出部２０１，２０１を備えている。
これら取付膨出部２０１，２０１の裏面側には、図５に示したように、腰部３の下面３３に重なる、湾曲状の重なり片２０２，２０２が形成されている。
これら取付膨出部２０１，２０１を形成することで、遊技者により近づいた位置の音声発生装置４から、音を放音することができる。
【００２４】
タイトル部２１には、遊技表示部１２による遊技の配当表示、ルールの説明等が表示されている。
【００２５】
腰部３は、図２及び図５に示したように、腰部パネル２に対面する裏面３０と、左右側面３１，３２と、下面３３からなる腰部本体を備えている。
裏面３０には、音声発生装置４のスピーカ本体４１等を取付ける凹部３００、止着部３０１（図６参照）が形成され、左側面３１には、腰部パネル２を開閉自在に取付けるヒンジ部３１０（図示せず）が形成され、右側面３２には、腰部パネル２のカギ２３に係合するカギ装置３２０が取付けられている。
また、下面３３には、腰部パネル２の重なり片２０２，２０２が収容される収容面３３０，３３０が形成されている。
このように構成された腰部３は、略密閉された空間３４（図２）を形成し、スピーカ本体４１のコーン背面から出力される音声が外部に漏れることを防ぐ密閉型のスピーカエンクロージャの役割を果たしている。
【００２６】
次に、音声発生装置４の遊技機に対する取付け構造について、図５及び図６に基き説明する。
スピーカ本体４１は、マグネット部４１０等のスピーカ本体４１の後部が腰部３の裏面３０の凹部３００に取付けられ、その前面枠４１１が腰部３の裏面３０の止着部３０１にネジ止めされている。
スピーカ本体４１に対して、音響ガイド部材４２がその取付舌４２２を介して、一周端４２３ａ側がスピーカ本体４１の前面枠４１１の上部で固定され、他周端４２３ｂ側がスピーカ本体４１の前面枠４１１の下部に固定されている。
【００２７】
一方、スピーカネット４０は、その外周縁４０１が腰部パネル２の孔２０の裏に固着され、ネット部４０２を遊技者側に臨ませるように取り付けられている。
このスピーカネット４０に対して、カバー部材４３の外周縁４３０がスピーカネット４０の外周縁４０１と共に、腰部パネル２の孔２０の裏に固着されている。
そして、図６に図示したように、腰部パネル２を閉じたときに、スピーカネット４０の円周面４００ａの内側に、音響ガイド部材４２の突起片４２１ｃが入り込み、スピーカネット４０の円周面４００ａが音響ガイド部材４２のリング状の鍔面４２１ｂに圧接されて、スピーカネット４０と音響ガイド部材４２が密着するようになっている。
音響ガイド部材４２の遊嵌部４２１ａと、スピーカネット４０の受入部４００が、遊びをもった状態で嵌合されて本発明の遊嵌構造を構成するが、音響ガイド部材４２、スピーカネット４０等の取付け誤差等を考慮して、遊嵌部４２１ａのリング状の鍔面４２１ｂを幅広にすることが好ましい。
【００２８】
以上のような構成によれば、スピーカ本体４１が傾斜して配置されている等、スピーカネット４０とスピーカ本体４１間の密着性に問題がある場合に、音響ガイド部材４２を介在させることで、スピーカ本体４１の正面、背面で発生する空気の振動が互いに干渉し、打ち消しあうことを防ぐことができる。
特に、スピーカ本体４１が、従来の遊技機に配置されていたスピーカに比べ大口径の場合に、密閉型のスピーカとして良好な低音域の効果音を遊技者に提供できる。
また、腰部パネル２を閉じたときに、スピーカネット４０と音響ガイド部材４２が遊嵌して密着する遊嵌構造であるので、スピーカネット４０や音響ガイド部材４２の取付構造が簡易となる。
さらに、スピーカネット４０と音響ガイド部材４２が遊嵌構造であることから、腰部パネル２側にスピーカネット４０を取付けることも可能となり、腰部パネル２の開閉がスムースになる。
【００２９】
その他、この実施形態に係る遊技機１では、遊技者側に飛び出した大口径の音声発生装置４により、遊技者にインパクトを与えることができる。
また、メダル受け皿１６に貯留されるメダルにより音孔が塞がれることがなく、良好な低音域の効果音を遊技者に提供できる。
さらに、腰部パネル２とメダル受け皿１６間の奥側垂直面の裏側に空いたスペースが形成されるので、ここに遊技状態を演出する発光手段等を配置することも可能になる。
【００３０】
音響ガイド部材４２とスピーカネット４０間、音響ガイド部材４２とスピーカ本体４１間、又は音響ガイド部材４２、スピーカネット４０及びスピーカ本体４１間に、密閉部材７を介挿させてもよい。
また、スピーカネット４０とスピーカ本体４１間に密閉部材７を介挿することも考えられる。
具体的には、例えばスピーカネット４０の円周面４００ａと音響ガイド部材４２の前開口端４２１のリング状の鍔面４２１ｂ間に、密閉部材７として各面の隙間を防ぐ伸縮可能なパッキン、スポンジ等を介挿させてもよい。また、音響ガイド部材４２の後開口端４２０の周面４２０ａとスピーカ本体４１の前面枠４１１間に、密閉部材７を介挿させてもよい(それぞれ、図６の要部拡大図参照)。このような構成により、密閉性を更に高めることができる。
上記実施形態のように腰部パネル２側にスピーカネット４０を取付け、腰部３側に音響ガイド部材４２を取付けた構造では、腰部パネル２を閉じる場合に、密閉部材７が音響ガイド部材４２とスピーカネット４０間の取付け誤差を吸収することにもなる。
【００３１】
上記構成では、音響ガイド部材４２とスピーカネット４０を遊嵌構造としたが、音響ガイド部材４２とスピーカ本体４１とを遊嵌構造にしてもよい。
また、上記実施形態では、腰部パネル２にスピーカネット４０及びカバー部材４３を取付けたが、さらに音響ガイド部材４２を腰部パネル２側に取付けても良い。
また、音声発生装置４の全体、即ちスピーカ本体４１、音響ガイド部材４２、スピーカネット４０、保護カバー４１を腰部３側に固定してもよい。
また、音声発生装置４の配置は、腰部パネル２及び腰部３に限定されるものではなく、筐体１０のどのような場所でもよい。
また、この実施形態では音声発生装置４はステレオ式であることから、腰部パネル２の孔２０は左右対称に形成されているが、モノラル式であれば１つの孔でよい。
【００３２】
音響ガイド部材４２に代えて、図７に示した音響ガイド部材４２Ａを用いてもよい。
この音響ガイド部材４２Ａは、遊嵌部４２１ａの鍔面４２１aを省き、その結果形成される側周面４２３の縁を、自由端面４２３ｃとしたものである。
この自由端面４２３ｃが、スピーカネット４０の円周面４００ａに当接し、音響ガイド部材４２とスピーカネット４０間の密着が図られる。
また、音響ガイド部材４２の内側に折り曲がっている部分(鍔面４２１a)を取り除いた構造となるため、スピーカ本体４１から放音される音の進行が、音響ガイド部材４２とスピーカネット４０との密着個所で妨げられ難くなっている。
その他の構成は、上記音響ガイド部材４２と同様であり、同様な作用効果を奏する。
例えば、図７の要部拡大図のように、スピーカネット４０の円周面４００ａと音響ガイド部材４２の自由端面４３２ｃ間に、密閉部材７としてスポンジ等を介挿させてもよい。
【００３３】
また、遊技表示部１２は、その全面を液晶表示画面とし、その画面の背後にリール表示窓を設けてもよいし、リール表示窓、液晶表示画面、遊技者が視認できる変動表示手段等（それぞれ図示せず）を区画して設けてもよい。
遊技表示部１２には、液晶ディスプレイ（ＬＣＤ）が用いられているが、プラズマディスプレイ（ＰＤＰ），フィールドエミッションディスプレイ（ＦＥＤ），電界発光ディスプレイ（ＥＬ）等を用いてもよい。
遊技表示部１２の左右にはマイク１９が設けられ、遊技表示部１２の上方にはスピーカ５，６がそれぞれ設けられている。
これらのスピーカ５，６に高音域の音声、中音域の音声を発声させてもよい。
【００３４】
また、音声発生装置４からは各種遊技状態に応じた様々な遊技音が出音される。例えば、各種遊技状態には通常遊技状態、ＢＢ遊技状態、ＲＢ遊技状態等（詳細は後述）があり、音声発生装置４は各種状態に基いた遊技音を出音するようになっている。
上記各種遊技状態としては、所定の入賞役の入賞が成立したときは、１回の払い出しに終わらず、所定期間、通常の状態よりも条件のよい遊技状態となるものがある。このような入賞役として、遊技者に相対的に大きな利益を与えるゲームを所定回数行える入賞役を（「ビックボーナス」と称し、「ＢＢ」と表し、その遊技状態を「ＢＢ遊技状態」という）と、遊技者に相対的に小さな利益を与えるゲームを所定回数行える入賞役（「レギュラーボーナス」と称し、「ＲＢ」と表し、その遊技状態を「ＲＢ遊技状態」という）がある。２つのボーナス状態以外を通常遊技状態という。
よって、このような各種遊技状態に対応させ、迫力ある低音などで遊技者の感覚を揺さぶるような効果音を提供できると共に、音声発生装置４の設置位置によるデザイン性のインパクトを遊技者に与えることができる。
【産業上の利用可能性】
【００３５】
本発明に係る遊技機は、その遊技機の種類はどのようなものでもよく、パチスロ機等に限定されるものではない。
【図面の簡単な説明】
【００３６】
【図１】実施形態に係る遊技機の正面図、
【図２】同透視図、
【図３】同遊技機の音声発生装置の分解斜視図、
【図４】（Ａ）（Ｂ）同音声発生装置の音響ガイド部材の正面図、側面図、
【図５】同遊技機の腰部パネルを開けた状態の透視図、
【図６】同要部断面、
【図７】同要部断面。
【符号の説明】
【００３７】
１  遊技機                          １０  筐体
１１  前面ドア                      １２  遊技表示部
１３  メダル投入口                  １４  スタートレバー
１５  操作部                        １５ａ〜１５ｃ  ストップボタン
１６  メダル受け皿                  １６ａ  メダル払出口
１７  投入ボタン                    １８  表示部
１９  マイク
２  腰部パネル                      ２０  孔
２１  タイトル部                    ２２  外周膨出部
２００，２００  領域
２０１，２０１  取付膨出部
２０２，２０２  重なり片
２３  カギ
３  腰部                            ３０  裏面
３１，３２  左右側面                ３３  下面
３００  凹部                        ３０１  止着部
３１０  ヒンジ部                    ３２０  カギ装置
３３０，３３０  収容面              ３４  空間
４  音声発生装置
４０  スピーカネット
４００  受入部                      ４００ａ  円周面
４０１  外周縁                      ４０２  ネット部
４１  スピーカ本体                  ４１０  マグネット部
４１１  前面枠
４２  ４２Ａ  音響ガイド部材        ４３  保護カバー
４２０  後開口端                    ４２１  前開口端
４２０ａ  周面                      ４２２  取付舌
４２１ａ  遊嵌部                    ４２１ｂ  鍔面
４２１ｃ  突起片                    ４２３  側周面
４２３ａ  一周端                    ４２３ｂ  他周端
４２３ｃ  自由端面
４３  カバー部材
４３０  外周縁                      ４３１  開口
４３２  リブ
５，６  スピーカ
【図１】
2005034602.tif 000003
【図２】
2005034602.tif 000004
【図３】
2005034602.tif 000005
【図４】
2005034602.tif 000006
【図５】
2005034602.tif 000007
【図６】
2005034602.tif 000008
【図７】
2005034602.tif 000009